(57)【特許請求の範囲】
【請求項１】
上側カバーと、
側壁部を含むシャーシと、
組み立て後の状態で前記シャーシの前記側壁部に重なるように配置される壁部と、前記壁部に設けられた第１凸部および第２凸部とを含む前側カバーとを備え、
前記前側カバーの前記第１凸部および前記第２凸部は、組み立て後の状態で前記側壁部を上下方向から挟み込む位置に形成されており、
前記シャーシの前記側壁部は、後方に向かって形成された切欠部を有し、
前記前側カバーの前記第１凸部および前記第２凸部は、前記第１凸部および前記第２凸部の少なくとも一方が前記シャーシの前記切欠部に挿入されることによって前記シャーシの前記側壁部を上下方向から挟み込むように構成されている、電子機器。
【請求項２】
前記シャーシは、組み立て時において前記前側カバーの後方側から装着されるように構成され、
前記前側カバーの前記第１凸部および前記第２凸部は、前記前側カバーの前記第１凸部が前記シャーシの切欠部に挿入されるとともに前記前側カバーの前記第２凸部が前記シャーシの側壁部の上方に配置されることによって前記側壁部を挟み込むように構成されている、請求項１に記載の電子機器。
【請求項３】
前記前側カバーの前記第１凸部および前記第２凸部の少なくとも一方は、前記シャーシの装着方向に延びるように形成され、
前記シャーシは、前記装着方向に延びる前記第１凸部および前記第２凸部の少なくとも一方にガイドされて装着されるように構成されている、請求項２に記載の電子機器。
【請求項４】
前記前側カバーの前記第１凸部は、前記シャーシの切欠部に挿入されるとともに、後方端部が前記切欠部の後方端部に当接するように構成されている、請求項１〜３のいずれか１項に記載の電子機器。
【請求項５】
前記前側カバーの前記第１凸部の後方端部は、前記第２凸部の後方端部よりも前方に位置するように形成されている、請求項４に記載の電子機器。
【請求項６】
前記前側カバーの前記壁部は、前記第１凸部および前記第２凸部の間に第１係合部を有し、
前記シャーシの側壁部は、前記前側カバーの前記第１係合部に係合する第１被係合部を有する、請求項１〜５のいずれか１項に記載の電子機器。
【請求項７】
前記シャーシは、前記側壁部に一体的に形成された底部をさらに含み、
前記前側カバーは、下部に設けられた第２係合部をさらに含み、
前記シャーシの前記底部は、前記第２係合部に係合する第２被係合部を有する、請求項１〜６のいずれか１項に記載の電子機器。
【請求項８】
前記電子機器は、左右方向の一方側に配置されたディスク駆動部を備えるディスク装置であり、
前記前側カバーは、前記ディスク駆動部が配置された前記一方側の上部に設けられた第３係合部をさらに含み、
前記ディスク駆動部には前記第３係合部に係合する第３被係合部が設けられ、
前記第１凸部および前記第２凸部が設けられた前記壁部は、前記ディスク駆動部が配置された前記一方側とは反対の他方側に配置されている、請求項１〜７のいずれか１項に記載の電子機器。
【請求項９】
前記前側カバーは、前面部と、前記前面部の外周部に沿って形成された筒状部とをさらに含むとともに、前記壁部が前記筒状部よりも後方に突出するように構成されており、
前記シャーシの側壁部は、前記筒状部よりも後方に位置する状態で前記前側カバーの前記壁部の前記第１凸部および前記第２凸部により上下方向から挟み込まれるように構成されている、請求項１〜８のいずれか１項に記載の電子機器。
【発明の詳細な説明】
【技術分野】
【０００１】
この発明は、電子機器に関し、特に、前側カバーとシャーシとを備えた電子機器に関する。
【背景技術】
【０００２】
従来、前側カバーとシャーシとを備えた電子機器が知られている（たとえば、特許文献１参照）。
【０００３】
上記特許文献１には、トップカバー（上側カバー）と、側壁部を含むシャーシと、シャーシの側壁部に重なるように配置される突片部（壁部）を含むフロントキャビネット（前側カバー）とを備えた電子機器が開示されている。また、フロントキャビネットの突片部（突出片部）には係合孔が設けられ、シャーシの側壁部には突出片部の係合孔に係合する係止爪が設けられている。そして、この電子機器では、組み立て後の状態でフロントキャビネットの突出片部をシャーシの側壁部およびトップカバーの側部により側方の両側から挟み込むことによって、突出片部の側方への移動を規制して係合爪が係合孔から外れるのを抑制する。また、通常、係合孔は組み立て時の作業性を考慮して係合爪よりも大きく形成されるので、上記特許文献１の電子機器でも、係合孔が係合爪よりも大きくなるように形成されていると考えられる。
【先行技術文献】
【特許文献】
【０００４】
【特許文献１】特開２００２−３１４２５９号公報
【発明の概要】
【発明が解決しようとする課題】
【０００５】
しかしながら、上記特許文献１の電子機器では、フロントキャビネット（前側カバー）の突出片部の側方への移動を規制して係合爪が係合孔から外れるのを抑制可能である一方、係合孔が係合爪よりも大きくなるように形成されている場合には、組み立て後に係合爪が係合孔内で移動してフロントキャビネットの上部が前方向に傾斜する（倒れる）場合があるという問題点がある。
【０００６】
この発明は、上記のような課題を解決するためになされたものであり、この発明の１つの目的は、前側カバーの上部が前方向に傾斜する（倒れる）のを抑制することが可能な電子機器を提供することである。
【課題を解決するための手段および発明の効果】
【０００７】
この発明の一の局面による電子機器は、上側カバーと、側壁部を含むシャーシと、組み立て後の状態でシャーシの側壁部に重なるように配置される壁部と、壁部に設けられた第１凸部および第２凸部とを含む前側カバーとを備え、前側カバーの第１凸部および第２凸部は、組み立て後の状態で側壁部を上下方向から挟み込む位置に形成されており、シャーシの側壁部は、後方に向かって形成された切欠部を有し、前側カバーの第１凸部および第２凸部は、第１凸部および第２凸部の少なくとも一方がシャーシの切欠部に挿入されることによってシャーシの側壁部を上下方向から挟み込むように構成されている。
【０００８】
この発明の一の局面による電子機器では、上記のように、組み立て後の状態でシャーシの側壁部を上下方向から挟み込む位置に前側カバーの第１凸部および第２凸部を形成することによって、前側カバーの上部が前方向に傾斜する（倒れる）方向の力が働いたとしても、前側カバーの第１凸部および第２凸部の移動がシャーシの側壁部により規制されるので、前側カバーの上部が前方向に傾斜する（倒れる）のを抑制することができる。また、第１凸部および第２凸部の少なくとも一方は、前側カバーの上部が前方向に傾斜する（倒れる）際に切欠部により上下方向への移動が規制されるので、前側カバーの上部が前方向に傾斜するのをより抑制することができる。
【００１０】
上記一の局面による電子機器において、好ましくは、シャーシは、組み立て時において前側カバーの後方側から装着されるように構成され、前側カバーの第１凸部および第２凸部は、前側カバーの第１凸部がシャーシの切欠部に挿入されるとともに前側カバーの第２凸部がシャーシの側壁部の上方に配置されることによって側壁部を挟み込むように構成されている。このように構成すれば、切欠部に挿入される第１凸部および側壁部の上方に配置される第２凸部により側壁部を容易に挟み込むことができるので、前側カバーの上部が前方向に傾斜するのを容易に抑制することができる。
【００１１】
この場合、好ましくは、前側カバーの第１凸部および第２凸部の少なくとも一方はシャーシの装着方向に延びるように形成され、シャーシは装着方向に延びる第１凸部および第２凸部の少なくとも一方にガイドされて装着されるように構成されている。このように構成すれば、前側カバーの上部の前方向への傾斜を抑制する第１凸部および第２凸部の少なくとも一方によりシャーシがガイドされるので、ガイド部材を別途設ける必要がない。その分、部品点数の増加を抑制することができる。
【００１２】
上記一の局面による電子機器において、好ましくは、前側カバーの第１凸部は、シャーシの切欠部に挿入されるとともに、後方端部が切欠部の後方端部に当接するように構成されている。このように構成すれば、前側カバーの第１凸部およびシャーシの切欠部により、前側カバーに対するシャーシの前後方向の位置決めをすることができるので、位置決め部材を別途設ける必要がない。
【００１３】
この場合、好ましくは、前側カバーの第１凸部の後方端部は、第２凸部の後方端部よりも前方に位置するように形成されている。このように構成すれば、第１凸部が挿入される切欠部の切り欠き深さを浅くすることができるので、切欠部を設けた場合でもシャーシの側壁部の機械的強度が低下するのを最小限に抑えることができる。
【００１４】
上記一の局面による電子機器において、好ましくは、前側カバーの壁部は第１凸部および第２凸部の間に第１係合部を有し、シャーシの側壁部は前側カバーの第１係合部に係合する第１被係合部を有する。このように構成すれば、第１係合部および第１被係合部により前側カバーの壁部がシャーシの側壁部からずれるのを抑制することができるので、壁部の第１凸部および第２凸部による側壁部の挟み込みが外れてしまうのを抑制することができる。
【００１５】
上記一の局面による電子機器において、好ましくは、シャーシは側壁部に一体的に形成された底部をさらに含み、前側カバーは下部に設けられた第２係合部をさらに含み、シャーシの底部は第２係合部に係合する第２被係合部を有する。このように構成すれば、第１凸部および第２凸部により前側カバーの上部が前方向に傾斜する（倒れる）のを抑制しながら、さらに、第２係合部および第２被係合部によっても前側カバーの上部が前方向に傾斜する（倒れる）のを抑制することができるので、前側カバーの上部が前方向に傾斜する（倒れる）のをより抑制することができる。
【００１６】
上記一の局面による電子機器において、好ましくは、電子機器は左右方向の一方側に配置されたディスク駆動部を備えるディスク装置であり、前側カバーはディスク駆動部が配置された一方側の上部に設けられた第３係合部をさらに含み、ディスク駆動部には第３係合部に係合する第３被係合部が設けられ、第１凸部および第２凸部が設けられた壁部はディスク駆動部が配置された一方側とは反対の他方側に配置されている。このように構成すれば、前側カバーの左右方向の他方側において第１凸部および第２凸部により前側カバーの上部が前方向に傾斜する（倒れる）のを抑制するとともに、前側カバーの一方側において第３係合部および第３被係合部により前側カバーの上部が前方向に傾斜する（倒れる）のを抑制することができるので、前側カバーの上部が前方向に傾斜する（倒れる）のをより抑制することができる。
【００１７】
上記一の局面による電子機器において、好ましくは、前側カバーは、前面部と前面部の外周部に沿って形成された筒状部とをさらに含むとともに壁部が筒状部よりも後方に突出するように構成されており、シャーシの側壁部は、筒状部よりも後方に位置する状態で前側カバーの壁部の第１凸部および第２凸部により上下方向から挟み込まれるように構成されている。このように構成すれば、シャーシの側壁部を筒状部内に挿入することなく第１凸部および第２凸部により前側カバーの上部が前方向に傾斜するのを抑制することができる。
【図面の簡単な説明】
【００１８】
【図１】本発明の一実施形態によるディスクプレーヤの全体構成を示した斜視図である。
【図２】本発明の一実施形態によるディスクプレーヤの全体構成を示した分解斜視図である。
【図３】本発明の一実施形態によるディスクプレーヤのシャーシの拡大斜視図である。
【図４】本発明の一実施形態によるディスクプレーヤの全体構成を示した平面図である。
【図５】図４の２００−２００線に沿った断面図である。
【図６】本発明の一実施形態によるディスクプレーヤのトップカバーを外した状態の斜視図である。
【図７】本発明の一実施形態によるディスクプレーヤのフロントカバーの壁部近傍を示した斜視図である。
【図８】本発明の一実施形態によるディスクプレーヤのフロントカバーを示した斜視図である。
【図９】本発明の一実施形態によるディスクプレーヤの筐体の組み立て手順（工程）を説明するための組み立て途中の状態を示した斜視図である。
【図１０】本発明の一実施形態によるディスクプレーヤの筐体の組み立て手順（工程）を説明するための組み立て後の状態を示した斜視図である。
【発明を実施するための形態】
【００１９】
以下、本発明を具体化した実施形態を図面に基づいて説明する。
【００２０】
図１〜図８を参照して、本発明の一実施形態によるディスクプレーヤ１００の構成について説明する。なお、本実施形態では、本発明の電子機器の一例であるディスクプレーヤ１００に本発明を適用した場合について説明する。
【００２１】
本発明の一実施形態によるディスクプレーヤ１００は、図１に示すように、箱状の筐体１０と、筐体１０の内部のＹ２方向側に配置されたディスク駆動部２０と、筐体１０の内部のＹ１方向側に配置された図示しない制御部とを備えている。
【００２２】
筐体１０は、幅方向（左右方向）（Ｙ方向）が奥行方向（前後方向）（Ｘ方向）よりも長くなるように形成されている。また、筐体１０は、図２に示すように、板金加工された金属製のシャーシ１と、樹脂成形されたフロントカバー２と、金属製（板金製）のトップカバー３と、金属製の図示しないリアプレートとにより主として構成されている。なお、フロントカバー２は、本発明の「前側カバー」の一例であり、トップカバー３は、本発明の「上側カバー」の一例である。
【００２３】
シャーシ１は、図２に示すように、ディスク駆動部２０（図１参照）を載置するための底部１１と、底部１１の幅方向（Ｙ方向）の両端部に底部１１に一体的に形成された側壁部１２および１３とを有している。また、シャーシ１の底部１１の前方側（Ｘ１方向側）には、底部１１の内表面から外表面に向かって下方向（Ｚ２方向）に突出する３つの突起部１１ａが設けられている。詳細には、３つの突起部１１ａは、板金の切起こし加工により形成されている。また、３つの突起部１１ａは、それぞれ、底部１１の幅方向（Ｙ方向）において中央部近傍および両端部近傍に配置されている。なお、突起部１１ａは、本発明の「第２被係合部」の一例である。
【００２４】
また、シャーシ１の側壁部１２は底部１１のＹ１方向側の端部に設けられ、側壁部１３は底部１１のＹ２方向側の端部に設けられている。また、側壁部１２（１３）は、上方向（Ｚ１方向）に曲げ加工されて形成されている。また、側壁部１２（１３）の前方側（Ｘ１方向側）の上端部（Ｚ１方向の端部）は、面取り加工により丸みを帯びた形状に形成されている。また、図２および図３に示すように、側壁部１２（１３）の前方側（Ｘ１方向側）には、側壁部１２（１３）の内表面から外表面に向かって突出する突起部１２ａ（１３ａ）が設けられている。また、突起部１２ａ（１３ａ）は、板金の切起こし加工により形成されている。また、突起部１２ａ（１３ａ）は、図３に示すように、後方（Ｘ２方向）に向かって徐々に外側への突出量が大きくなるように形成されている。これにより、シャーシ１をフロントカバー２に対して後方（Ｘ２方向）から装着する際に、突起部１２ａ（１３ａ）をフロントカバー２の係合孔２３３（２４３）に係合し易くなっている。なお、突起部１２ａは、本発明の「第１被係合部」の一例である。また、側壁部１２（１３）の突起部１２ａ（１３ａ）の近傍には、円形状の開口部１２ｂ（１３ｂ）が設けられている。開口部１２ｂ（１３ｂ）は、バーリング加工により形成されている。また、側壁部１２の突起部１２ａの下方には、切欠部１２ｃが形成されている。切欠部１２ｃは、側壁部１２の前方端部（Ｘ１方向の端部）から後方（Ｘ２方向）に向かって延びるように形成されている。また、切欠部１２ｃの前方側（Ｘ１方向側）は、面取り加工により丸みを帯びた形状に形成されている。これにより、後述するフロントカバー２の下部リブ２３２を容易に挿入することが可能である。
【００２５】
また、フロントカバー２は、図１、図２および図４に示すように、前面部２１と、前面部２１の外周部に沿って形成された筒状部２２と、筒状部２２よりも後方（Ｘ２方向）に突出する壁部２３および２４（図２参照）とから主として構成されている。また、前面部２１、筒状部２２および壁部２３、２４は、互いに一体的に形成されている。また、前面部２１には、図１に示すように、複数の操作ボタン部２１ａおよびディスクトレー扉２１ｂが設けられている。
【００２６】
また、筒状部２２は、図２および図４に示すように、筒形状を有し、前面部２１から後方（Ｘ２方向）に向かって延びるように形成されている。また、筒状部２２の底面（Ｚ２方向側の表面）には、筒状部２２の後方端部よりも後方（Ｘ２方向）に突出する３つの突出片２２１が形成されている。また、突出片２２１は、薄板形状を有し、筒状部２２に一体的に形成されている。また、３つの突出片２２１の各々には、略中央部に矩形形状の穴部２２１ａが形成されている。また、３つの突出片２２１は、それぞれ、フロントカバー２の幅方向（Ｙ方向）において中央部近傍および両端部近傍に配置されている。具体的には、３つの突出片２２１は、シャーシ１の底部１１に設けられた３つの突起部１１ａに対応するように配置されている。また、３つの突出片２２１は、図５に示すように、組み立て後の状態において穴部２２１ａに突起部１１ａが係合されるように構成されている。また、突出片２２１は、組み立て後の状態においてシャーシ１の底部１１よりも下方（Ｚ２方向）に配置されている。なお、突出片２２１は、本発明の「第２係合部」の一例である。
【００２７】
また、筒状部２２の上部の内表面には、図２および図６に示すように、筒状部２２の後方端部よりも後方（Ｘ２方向）に突出する２つの突出片２２２が形成されている。また、突出片２２２は、薄板形状を有し、筒状部２２に一体的に形成されている。また、筒状部２２の上部の内表面と突出片２２２との間には、トップカバー３の後述する挿入部３１１を挿入するための隙間が設けられている。また、２つの突出片２２２の各々には、矩形形状の穴部２２２ａが形成されている。また、２つの突出片２２２は、それぞれ、フロントカバー２の幅方向（Ｙ方向）において中央部近傍およびＹ２方向の端部近傍に配置されている。具体的には、２つの突出片２２２は、Ｙ２方向側に配置されるディスク駆動部２０に対応する位置に設けられている。また、突出片２２２は、図６に示すように、組み立て後の状態においてディスク駆動部２０の上部に設けられた係合爪２０１に穴部２２２ａが係合されるように構成されている。なお、突出片２２２は、本発明の「第３係合部」の一例であり、係合爪２０１は、本発明の「第３被係合部」の一例である。
【００２８】
ここで、本実施形態では、図２に示すように、壁部２３および２４は、それぞれ、筒状部２２の幅方向（Ｙ方向）の両側面部から後方（Ｘ２方向）に突出するように筒状部２２に一体的に形成されている。また、壁部２３はディスク駆動部２０が配置される側とは反対のＹ１方向側に設けられ、壁部２４はディスク駆動部２０が配置されるＹ２方向側に設けられている。また、壁部２３（２４）は、図５〜図７に示すように、組み立て後の状態でシャーシ１の側壁部１２（１３）に重なるように構成されている。具体的には、壁部２３（２４）は、組み立て後の状態で側壁部１２（１３）の外側に配置されるとともに、側壁部１２（１３）の前方側（Ｘ１方向側）に重なるように構成されている。また、壁部２３（２４）の外表面は、図２および図７に示すように、筒状部２２の外表面よりもトップカバー３の厚み分だけ内側に配置されている。これにより、組み立て後の状態で壁部２３（２４）の外側に配置されるトップカバー３の外表面と筒状部２２の外表面とを略面一にすることができる。
【００２９】
また、壁部２３の内表面の上部には、図２および図５〜図７に示すように、内側（Ｙ２方向側）に突出する上部リブ２３１が壁部２３に一体的に形成されている。また、上部リブ２３１は、組み立て後の状態でシャーシ１の側壁部１２の上方に配置される。また、壁部２３の内表面の下部には、シャーシ１の側壁部１２に設けられた切欠部１２ｃに挿入される下部リブ２３２が壁部２３に一体的に形成されている。すなわち、上部リブ２３１および下部リブ２３２は、組み立て後の状態でシャーシ１の側壁部１２を上下方向から挟み込む位置に配置されている。
【００３０】
また、上部リブ２３１および下部リブ２３２は、約２ｍｍ内側に突出している。また、上部リブ２３１および下部リブ２３２は、シャーシ１の装着方向である前後方向（Ｘ方向）に延びるように形成されている。また、上部リブ２３１および下部リブ２３２は、互いに略平行に配置されている。詳細には、組み立て後の状態において、上部リブ２３１は、側壁部１２の上端部に沿って配置されるとともに、下部リブ２３２は、切欠部１２ｃの上端部に沿って配置される。より詳細には、上部リブ２３１および下部リブ２３２は、互いの間隔が側壁部１２の上端部から切欠部１２ｃの上端部までの距離よりも約０．１ｍｍだけ大きくなるように配置されている。これにより、側壁部１２を上部リブ２３１および下部リブ２３２の間に挿入し易くしながら、フロントカバー２の上部が前方向に傾斜するのを抑制することが可能となる。これにより、図５および図１０に示すように、フロントカバー２の上部が前方向に傾斜する（倒れる）ことに起因して生じるフロントカバー２とトップカバー３との境界部の開きを約０．７ｍｍ以下に抑えることが可能となる。
【００３１】
また、下部リブ２３２は、図５および図７に示すように、上部リブ２３１よりも前後方向（Ｘ方向）の長さが短くなるように形成されている。具体的には、下部リブ２３２の後方端部２３２ａは、上部リブ２３１の後方端部２３１ａよりも前方（Ｘ１方向）に位置している。また、下部リブ２３２の後方端部２３２ａは、組み立て後の状態で切欠部１２ｃの後方端部に当接するように構成されている。なお、上部リブ２３１は、本発明の「第２凸部」の一例であり、下部リブ２３２は、本発明の「第１凸部」の一例である。
【００３２】
また、壁部２３の上部リブ２３１と下部リブ２３２との間には、図２に示すように、矩形形状の係合孔２３３が設けられている。係合孔２３３は、シャーシ１の突起部１２ａに対応する位置に配置されており、組み立て後の状態で突起部１２ａに係合するように構成されている。なお、係合孔２３３は、本発明の「第１係合部」の一例である。また、壁部２３の下部リブ２３２の後方（Ｘ２方向）には、円形状の開口部２３４が形成されている。開口部２３４は、シャーシ１にトップカバー３を取り付ける際に用いられる後述のビス３０（図７参照）を通過させるために設けられている。
【００３３】
また、Ｙ２方向側の壁部２４は、下部リブが設けられていないこと以外Ｙ１方向側の壁部２３と同様に構成されている。具体的には、壁部２４には、図８に示すように、上部リブ２４１、係合孔２４３および開口部２４４が設けられている。また、壁部２４の上部リブ２４１、係合孔２４３および開口部２４４は、それぞれ、壁部２３の上部リブ２３１、係合孔２３３および開口部２３４に対応している。
【００３４】
トップカバー３は、図２に示すように、ディスク駆動部２０を上方から覆い隠す天面部３１と、天面部３１の幅方向（Ｙ方向）の両端から下方（Ｚ２方向）に丸みをおびて曲げ加工された側面部３２とを有している。また、天面部３１の前方端部には、フロントカバー２の筒状部２２内に挿入する挿入部３１１が設けられている。挿入部３１１は、折り曲げ加工により形成されている。また、挿入部３１１の上側表面は、図５に示すように、筒状部２２の厚み分だけ天面部３１の上側表面よりも下方（Ｚ２方向）に位置している。これにより、組み立て後の状態で天面部３１の上側表面と筒状部２２の上側表面とが略面一となる。また、側面部３２の前方側（Ｘ１方向側）には、トップカバー３をシャーシ１に取り付けるためのビス３０（図７参照）を挿入するビス孔３２１が形成されている。
【００３５】
次に、図２、図５〜図７、図９および図１０を参照して、本実施形態のディスクプレーヤ１００の筐体１０の組み立て手順（工程）について説明する。
【００３６】
まず、図２および図９に示すように、シャーシ１を後方側（Ｘ２方向側）からフロントカバー２に装着する。この際、シャーシ１は、フロントカバー２の上部リブ２３１、２４１および下部リブ２３２にガイドされて装着される。詳細には、シャーシ１の側壁部１２は、図５および図７に示すように、上端部がフロントカバー２の上部リブ２３１によりガイドされるとともに切欠部１２ｃが下部リブ２３２によりガイドされる。また、シャーシ１の側壁部１３は、上端部がフロントカバー２の上部リブ２４１によりガイドされる。そして、シャーシ１の切欠部１２ｃの後方端部をフロントカバー２の下部リブ２３２の後方端部２３２ａに当接させる。これにより、シャーシ１は、前後方向（Ｘ方向）においてフロントカバー２に対して位置決めされる。この際、シャーシ１は、フロントカバー２の筒状部２２よりも後方（Ｘ２方向）に配置される。この状態でシャーシ１の側壁部１２は、上部リブ２３１および下部リブ２３２により上下方向から挟み込まれている。
【００３７】
また、図９に示すように、シャーシ１の切欠部１２ｃの後方端部がフロントカバー２の下部リブ２３２の後方端部２３２ａに当接する際に、シャーシ１の突起部１２ａ（１３ａ）と壁部２３（２４）の係合孔２３３（２４３）とが係合される。また、図５に示すように、フロントカバー２の３つの突出片２２１とシャーシ１の３つの突起部１１ａとが係合される。さらに、図６に示すように、フロントカバー２の２つの突出片２２２がディスク駆動部２０の上部に設けられた２つの係合爪２０１に係合される。
【００３８】
そして、図示しないリアプレートをシャーシ１に取り付けた後、図９および図１０に示すように、トップカバー３を後方側（Ｘ２方向側）から取り付ける。具体的には、図５に示すように、トップカバー３の挿入部３１１をフロントカバー２の筒状部２２内に挿入する。そして、図７に示すように、外側からビス３０をトップカバー３のビス孔３２１、フロントカバー２の開口部２３４（２４４）を介してシャーシ１の開口部１２ｂ（１３ｂ）に挿入することによってトップカバー３をシャーシ１に取り付ける。この際、フロントカバー２の壁部２３（２４）は、トップカバー３の側面部３２およびシャーシ１の側壁部１２（１３）により挟み込まれる。これにより、フロントカバー２の壁部２３（２４）がシャーシ１の側壁部１２（１３）からずれるのを抑制することができる。このようにして本実施形態のディスクプレーヤ１００の筐体１０の組み立てが行われる。
【００３９】
本実施形態では、上記のように、組み立て後の状態でシャーシ１の側壁部１２を上下方向から挟み込む位置にフロントカバー２の下部リブ２３２および上部リブ２３１を形成することによって、フロントカバー２の上部が前方向に傾斜する（倒れる）方向の力が働いたとしても、フロントカバー２の下部リブ２３２および上部リブ２３１の移動がシャーシ１の側壁部１２により規制されるので、フロントカバー２の上部が前方向に傾斜する（倒れる）のを抑制することができる。
【００４０】
また、本実施形態では、シャーシ１を組み立て時においてフロントカバー２の後方側（Ｘ２方向側）から装着されるように構成し、下部リブ２３２を切欠部１２ｃに挿入するとともに上部リブ２３１を側壁部１２の上方（Ｚ１方向）に配置することにより下部リブ２３２および上部リブ２３１で側壁部１２を挟み込むことによって、下部リブ２３２および上部リブ２３１により側壁部１２を容易に挟み込むことができるので、フロントカバー２の上部が前方向に傾斜する（倒れる）のを容易に抑制することができる。
【００４１】
また、本実施形態では、下部リブ２３２および上部リブ２３１をシャーシ１の装着方向（Ｘ方向）に延びるように形成し、シャーシ１を下部リブ２３２および上部リブ２３１によりガイドされて装着されるように構成することによって、フロントカバー２の上部の前方向への傾斜を抑制する下部リブ２３２および上部リブ２３１によりシャーシ１がガイドされるので、ガイド部材を別途設ける必要がない。
【００４２】
また、本実施形態では、後方端部２３２ａが切欠部１２ｃの後方端部に当接するように下部リブ２３２を構成することによって、フロントカバー２の下部リブ２３２およびシャーシ１の切欠部１２ｃにより、フロントカバー２に対するシャーシ１の前後方向の位置決めをすることができるので、位置決め部材を別途設ける必要がない。
【００４３】
また、本実施形態では、下部リブ２３２の後方端部２３２ａを上部リブ２３１の後方端部２３１ａよりも前方（Ｘ１方向）に位置するように形成することによって、下部リブ２３２が挿入される切欠部１２ｃの切り欠き深さを浅くすることができるので、切欠部１２ｃを設けた場合でもシャーシ１の側壁部１２の機械的強度が低下するのを最小限に抑えることができる。
【００４４】
また、本実施形態では、下部リブ２３２および上部リブ２３１の間に係合孔２３３を設けるとともに、係合孔２３３に係合する突起部１２ａを側壁部１２に設けることによって、係合孔２３３および突起部１２ａによりフロントカバー２の壁部２３がシャーシ１の側壁部１２からずれるのを抑制することができるので、壁部２３の下部リブ２３２および上部リブ２３１による側壁部１２の挟み込みが外れてしまうのを抑制することができる。
【００４５】
また、本実施形態では、下部に設けられた突出片２２１をフロントカバー２に設けるとともに、突出片２２１に係合する突起部１１ａをシャーシ１の底部１１に設けることによって、下部リブ２３２および上部リブ２３１によりフロントカバー２の上部が前方向に傾斜する（倒れる）のを抑制しながら、さらに、突出片２２１および突起部１１ａによってもフロントカバー２の上部が前方向に傾斜する（倒れる）のを抑制することができる。
【００４６】
また、本実施形態では、フロントカバー２のディスク駆動部２０が配置されたＹ２方向側の上部に突出片２２２を設けるとともに、ディスク駆動部２０には突出片２２２に係合する係合爪２０１を設け、ディスク駆動部２０が配置されたＹ２方向側とは反対のＹ１方向側に下部リブ２３２および上部リブ２３１が設けられた壁部２３を配置することによって、フロントカバー２のＹ１方向側において下部リブ２３２および上部リブ２３１によりフロントカバー２の上部が前方向に傾斜する（倒れる）のを抑制するとともに、フロントカバー２のＹ２方向側において突出片２２２および係合爪２０１によりフロントカバー２の上部が前方向に傾斜する（倒れる）のを抑制することができるので、フロントカバー２の上部が前方向に傾斜する（倒れる）のをより抑制することができる。
【００４７】
また、本実施形態では、前面部２１と前面部２１の外周部に沿って形成された筒状部２２とをフロントカバー２に設け、壁部２３を筒状部２２よりも後方（Ｘ２方向）に突出するように配置するとともに、シャーシ１の側壁部１２を筒状部２２よりも後方に位置する状態で壁部２３の下部リブ２３２および上部リブ２３１により上下方向から挟み込まれるように構成することによって、シャーシ１の側壁部１２を筒状部２２内に挿入することなく下部リブ２３２および上部リブ２３１によりフロントカバー２の上部が前方向に傾斜するのを抑制することができる。
【００４８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４９】
たとえば、上記実施形態では、本発明の「電子機器」の一例としてのディスクプレーヤに本発明を適用した例を示したが、本発明はこれに限られない。本発明では、上側カバー、シャーシおよび前側カバーを備えた電子機器であれば、ディスクプレーヤ以外のたとえば、ＨＤＤレコーダや、ＡＶアンプなどの電子機器、電子機器同士を接続してＡＶ機器ネットワークを構成するためのセットトップボックス（信号変換装置）などに本発明を適用してもよい。
【００５０】
また、上記実施形態では、本発明の第１凸部としての下部リブおよび第２凸部としての上部リブを前後方向（Ｘ方向）に延びるように形成する構成の例を示したが、本発明はこれに限られない。本発明では、第１凸部および第２凸部をたとえばボス状に形成してもよいし、第１凸部および第２凸部の一方を前後方向に延びるように形成するととともに他方をボス状に形成する構成であってもよい。
【００５２】
また、上記実施形態では、側壁部に１つの切欠部を設けて第１凸部としての下部リブのみを切欠部に挿入する構成の例を示したが、本発明はこれに限られない。本発明では、側壁部に２つの切欠部を設けて第１凸部および第２凸部の両方を切欠部に挿入する構成であってもよい。
【００５３】
また、上記実施形態では、ディスク駆動部が配置される側とは反対側（Ｙ１方向側）の壁部にのみ下部リブを設ける構成の例を示したが、本発明はこれに限られない。本発明では、Ｙ１方向側の壁部と同様にディスク駆動部が配置される側（Ｙ２方向側）の壁部にも下部リブを設ける構成であってもよい。この場合、ディスク駆動部の上部に設けられた本発明の第３被係合部としての係合爪２０１およびフロントカバー（前側カバー）の上部に設けられた本発明の第３係合部としての突出片２２２の個数を低減させることが可能である。
【００５４】
また、上記実施形態では、シャーシに本発明の第２被係合部としての突起部１１ａおよびフロントカバー（前側カバー）に本発明の第２係合部としての突出片２２１（穴部２２１ａ）を３つずつ設ける構成の例を示したが、本発明はこれに限られない。本発明では、３つ未満または３つよりも多い第２係合部および第２被係合部を設けて、シャーシと前側カバーとを係合させるようにしてもよい。
【符号の説明】
【００５５】
１  シャーシ
２  フロントカバー（前側カバー）
３  トップカバー（上側カバー）
１１  底部
１１ａ  突起部（第２被係合部）
１２  側壁部
１２ａ  突起部（第１被係合部）
１２ｃ  切欠部
２０  ディスク駆動部
２１  前面部
２２  筒状部
２３  壁部
１００  ディスクプレーヤ（電子機器）
２０１  係合爪（第３被係合部）
２２１  突出片（第２係合部）
２２２  突出片（第３係合部）
２３１  上部リブ（第２凸部）
２３２  下部リブ（第１凸部）
２３３  係合孔（第１係合部）
【図１】
0005515805.tif 000002
【図２】
0005515805.tif 000003
【図３】
0005515805.tif 000004
【図４】
0005515805.tif 000005
【図５】
0005515805.tif 000006
【図６】
0005515805.tif 000007
【図７】
0005515805.tif 000008
【図８】
0005515805.tif 000009
【図９】
0005515805.tif 000010
【図１０】
0005515805.tif 000011